(57)【要約】【課題】  縁なし記録実行時のはみ出し量を任意に調整可能な記録装置を提供する。縁なし記録実行時のはみ出し量を自動調整可能な記録装置を提供する。【解決手段】  展開領域算出部１１は、レイアウト情報で指定されている記録紙Ｐの規定サイズと固定はみ出し量から領域開始座標（Ｘｐ１，Ｙｐ１）及び領域終了座標（Ｘｐ２，Ｙｐ２）を算出して記録紙領域ＰＦを展開領域Ｆ上に設定し、レイアウト情報に基づく記録紙領域Ｐを任意に設定可能なはみ出し量で外側に広げた可変はみ出し領域ＮＦを算出して設定し、レイアウト情報で領域開始座標（Ｘｄ１，Ｙｄ１）及び領域終了座標（Ｘｄ２，Ｙｄ２）が指定されている画像展開領域ＩＭＦを展開領域Ｆ上に設定する。展開領域算出部１１は、画像展開領域ＩＭＦが可変はみ出し領域ＮＦの外側の領域を含んでいる場合には、可変はみ出し領域ＮＦに包含されるように画像展開領域ＩＭＦを変更する。【選択図】  図７
2006231839.tif 000002
【特許請求の範囲】
【請求項１】
被記録材への記録を実行する記録実行手段と、該記録実行手段を制御する記録制御装置とを備えた記録装置であって、
前記記録制御装置は、被記録材の記録面に余白無く記録を実行する縁なし記録を実行する際には、
レイアウト情報に基づく被記録材領域及び画像展開領域を設定し、
任意に設定可能なはみ出し量で前記レイアウト情報に基づく被記録材領域を外側に広げた可変はみ出し領域を設定し、
前記画像展開領域が前記可変はみ出し領域の外側の領域を含んでいる場合には、前記可変はみ出し領域に包含されるように前記画像展開領域を変更し、
前記可変はみ出し領域に包含される前記画像展開領域にデジタル画像データを展開して前記画像展開領域の記録制御を実行する、ことを特徴とした記録装置。
【請求項２】
請求項１において、設定された前記はみ出し量をユーザが任意に変更可能に構成されている、ことを特徴とした記録装置。
【請求項３】
請求項１において、前記記録制御装置は、前記画像展開領域が前記可変はみ出し領域の外側の領域を含んでいる場合には、前記可変はみ出し領域に包含されるように、変更前と相似形に前記画像展開領域を縮小して変更する、ことを特徴とした記録装置。
【請求項４】
請求項１〜３のいずれか１項において、記録実行中における実際の被記録材領域を検出する被記録材検出手段を有し、
前記記録制御装置は、前記被記録材検出手段により検出した被記録材領域と前記レイアウト情報に基づく被記録材領域との差に基づいて前記はみ出し量を算出して設定する、ことを特徴とした記録装置。
【請求項５】
請求項４において、前記記録制御装置は、被記録材への縁なし記録を実行する度に被記録材への縁なし記録完了後、前記はみ出し量を算出して設定を更新する、ことを特徴とした記録装置。
【請求項６】
請求項５において、前記記録制御装置は、被記録材の規格サイズ及び種別ごとに前記はみ出し量を算出して設定する、ことを特徴とした記録装置。
【請求項７】
被記録材の記録面に余白無く記録を実行する縁なし記録制御方法であって、
レイアウト情報に基づく被記録材領域及び画像展開領域を設定する工程と、
任意に設定可能なはみ出し量で前記レイアウト情報に基づく被記録材領域を外側に広げた可変はみ出し領域を設定する工程と、
前記画像展開領域が前記可変はみ出し領域の外側の領域を含んでいる場合には、前記可変はみ出し領域に包含されるように前記画像展開領域を変更する工程と、
前記可変はみ出し領域に包含される前記画像展開領域にデジタル画像データを展開して前記画像展開領域の記録を実行する工程とを有する、ことを特徴とした縁なし記録制御方法。
【請求項８】
被記録材の記録面に余白無く記録を実行する縁なし記録制御をコンピュータに実行させるための縁なし記録制御プログラムであって、
レイアウト情報に基づく被記録材領域及び画像展開領域を設定する手順と、
任意に設定可能なはみ出し量で前記レイアウト情報に基づく被記録材領域を外側に広げた可変はみ出し領域を設定する手順と、
前記画像展開領域が前記可変はみ出し領域の外側の領域を含んでいる場合には、前記可変はみ出し領域に包含されるように前記画像展開領域を変更する手順と、
前記可変はみ出し領域に包含される前記画像展開領域にデジタル画像データを展開して前記画像展開領域の記録を実行する手順とを有する、ことを特徴とした縁なし記録制御プログラム。
【発明の詳細な説明】
【技術分野】
【０００１】
本発明は、インクジェット式記録装置等の記録装置において、被記録材の記録面に余白無く記録を実行する縁なし記録制御に関する。
【背景技術】
【０００２】
いわゆる縁なし記録（印刷）と呼ばれる被記録材の記録面全面に余白無く記録を実行する記録方法が公知である。例えば、写真専用紙等にデジタルカメラで撮影したデジタル画像を写真専用紙の記録面全面に記録（印刷）すれば、四辺に余白を設けた場合より大きな画像サイズのデジタル写真を得られる。いわゆる銀塩写真は、縁ありプリントと縁なしプリントとをユーザが好みで選択できるが、それと同じことがデジタル写真においても可能となる。
【０００３】
このような縁なし記録（印刷）においては、被記録材のサイズと全く同じサイズの画像展開領域にデジタル画像データを展開して記録を実行すると、被記録材の搬送誤差や傾き等によって記録面の一部に余白が生じてしまう。そのため、被記録材のサイズより僅かに大きい画像展開領域にデジタル画像データを展開して記録を実行する必要がある。すなわち、デジタル画像の一部は、被記録材の外側に記録が実行されて捨てられてしまうことになる。したがって、この被記録材の外側へのデジタル画像のはみ出し量は、少なければ少ないほど理想的な縁なし記録に近づいていく反面、記録面の一部に余白が生じる虞が高くなることになる。
【０００４】
この縁なし記録実行時のデジタル画像のはみ出し量は、パーソナルコンピュータ等の情報処理装置と記録装置とが接続されていれば、パーソナルコンピュータ側のプリンタドライバやフォトレタッチアプリケーション等で、縁なし記録実行時のデジタル画像のはみ出し量をユーザが任意に調整することが可能である。例えば、被写体の一部が途切れた状態とならないように、縁なし記録のはみ出し量をデジタル画像ごとにデジタル画像の内容に応じて調整することができる。
【０００５】
ところが、ＤＳＣ（デジタル・スチル・カメラ）等のデジタル画像処理装置を記録装置に直接接続して、ＤＳＣから送信されるデジタル画像ファイルに基づいて被記録材への記録を実行したり、記録装置のメモリカードスロットからメモリカード内のデジタル画像ファイルを直接読み込んで被記録材への記録を実行したりする用途が増えつつある。この場合、ＤＳＣや記録装置において上記のプリンタドライバやフォトレタッチアプリケーションと同等の機能を実現するとなると大幅なコスト増となり現実的ではない。そのため、一般的な記録装置においては、ＤＳＣ等のデジタル画像処理装置を接続した状態、或いは記録装置単体での記録実行時には、記録装置内部に記憶されている固定値（レイアウト情報）で一定のはみ出し量での縁なし記録しか実行できない。したがって、ＤＳＣ等のデジタル画像処理装置を接続した状態、或いは記録装置単体での記録実行時には、縁なし記録のはみ出し量をデジタル画像ごとにデジタル画像の内容に応じて調整することができない。
【０００６】
このような課題を解決可能な従来技術の一例としては、パーソナルコンピュータ上で作成した印刷条件設定スクリプトに基づいて記録を実行可能な記録装置が公知である。予めパーソナルコンピュータ上で作成した印刷条件設定スクリプトを不揮発性メモリカード等の記憶媒体に保存しておく。そして、ＤＳＣ等のデジタル画像処理装置を接続した状態、或いは記録装置単体での記録実行時には、その印刷条件設定スクリプトを記録装置へ読み込ませ、その印刷条件設定スクリプトに基づいて記録を実行する。それによって、パーソナルコンピュータにおける高度で詳細な印刷条件設定が、ＤＳＣ等のデジタル画像処理装置を接続した状態、或いは記録装置単体での記録実行時においても可能となる（例えば、特許文献１を参照）。
【０００７】
【特許文献１】特開２００２−２５４７５８号公報
【発明の開示】
【発明が解決しようとする課題】
【０００８】
しかしながら、上記従来技術においては、パーソナルコンピュータ等の情報処理装置で印刷条件設定スクリプトを予め作成しなければならない。したがって、スクリプトエディタプログラムが実装されたパーソナルコンピュータ等の情報処理装置が必須となるが、パーソナルコンピュータ等の情報処理装置があるならば、スクリプトエディタプログラムで印刷条件設定スクリプトを作成するより、デジタル画像ファイルをパーソナルコンピュータ等の情報処理装置に読み込ませて縁なし記録を実行するほうがユーザの手間も格段に少なく現実的である。
【０００９】
また、記録装置内部に記憶されている固定値（レイアウト情報）は、その記録装置における記録実行精度の誤差の最大値に合わせて一律の設定値に設定されているのが通常であり、記録装置個々に調整可能な構成になっていなかった。そのため、ＤＳＣ等のデジタル画像処理装置を接続した状態、或いは記録装置単体での記録実行時には、充分すぎるほど大きなはみ出し量で縁なし記録が実行され、デジタル画像の被写体の一部が途切れてしまう場合もあった。
【００１０】
本発明は、このような状況に鑑み成されたものであり、その課題は、縁なし記録実行時のはみ出し量を任意に調整可能な記録装置を提供することにある。  
また、本発明の課題は、縁なし記録実行時のはみ出し量を自動調整可能な記録装置を提供することにある。
【課題を解決するための手段】
【００１１】
上記課題を達成するため、本発明の第１の態様は、被記録材への記録を実行する記録実行手段と、該記録実行手段を制御する記録制御装置とを備えた記録装置であって、前記記録制御装置は、被記録材の記録面に余白無く記録を実行する縁なし記録を実行する際には、レイアウト情報に基づく被記録材領域及び画像展開領域を設定し、任意に設定可能なはみ出し量で前記レイアウト情報に基づく被記録材領域を外側に広げた可変はみ出し領域を設定し、前記画像展開領域が前記可変はみ出し領域の外側の領域を含んでいる場合には、前記可変はみ出し領域に包含されるように前記画像展開領域を変更し、前記可変はみ出し領域に包含される前記画像展開領域にデジタル画像データを展開して前記画像展開領域の記録制御を実行する、ことを特徴とした記録装置である。
【００１２】
ここで、レイアウト情報とは、被記録材への記録実行時の画像展開領域（大きさ、位置）及び被記録材領域（大きさ、位置）を固定的に規定する情報である。画像展開領域は、記録対象のデジタル画像データが展開されて記録が実行される領域である。縁あり記録の場合、画像展開領域は、被記録材領域より小さい領域で被記録材の内側に設定される。それによって、被記録材の記録面には、デジタル画像の外側に余白が形成される。一方、縁なし記録の場合、画像展開領域は、被記録材領域より大きい領域で被記録材の外側にはみ出すように設定される。それによって、被記録材の記録面には、デジタル画像が余白無く形成される。ここでのレイアウト情報は、記録制御装置内の不揮発性メモリ等に記憶されて記録装置内に保持されているレイアウト情報、デジタル画像データとともにＤＳＣ等のデジタル画像処理装置やパーソナルコンピュータ等の情報処理装置から送信されるレイアウト情報の双方を含む。
【００１３】
本発明の第１の態様における記録装置の記録制御装置は、被記録材の記録面に余白無く記録を実行する縁なし記録を実行する際には、上記のレイアウト情報に基づく被記録材領域及び画像展開領域のほかに、可変はみ出し領域を設定する。可変はみ出し領域は、任意に設定可能なはみ出し量でレイアウト情報に基づく被記録材領域を外側に広げた領域として設定される。そして、レイアウト情報に基づく画像展開領域が可変はみ出し領域の外側の領域を含んでいる場合には、可変はみ出し領域に包含されるように画像展開領域を変更する。すなわち、レイアウト情報に基づく被記録材領域に対するレイアウト情報に基づく画像展開領域のはみ出し量が、可変はみ出し領域のはみ出し量（任意に設定可能なはみ出し量）以下となるように画像展開領域を変更する。それによって、レイアウト情報に基づく画像展開領域の範囲内で、被記録材領域に対する画像展開領域のはみ出し量を任意に設定することができる。
【００１４】
これにより、本発明の第１の態様に記載の記録装置によれば、レイアウト情報に基づく画像展開領域の範囲内で、被記録材領域に対する画像展開領域のはみ出し量を任意に設定することができるので、縁なし記録実行時のはみ出し量を任意に調整することができるという作用効果が得られる。
【００１５】
本発明の第２の態様は、前述した第１の態様において、設定された前記はみ出し量をユーザが任意に変更可能に構成されている、ことを特徴とした記録装置である。  
このように、ユーザが任意に縁なし記録のはみ出し量を設定することができるので、例えば、被写体の一部が途切れた状態とならないように、縁なし記録のはみ出し量をデジタル画像ごとにデジタル画像の内容に応じてユーザが任意に調整して縁なし記録を実行することができる。
【００１６】
本発明の第３の態様は、前述した第１の態様において、前記記録制御装置は、前記画像展開領域が前記可変はみ出し領域の外側の領域を含んでいる場合には、前記可変はみ出し領域に包含されるように、変更前と相似形に前記画像展開領域を縮小して変更する、ことを特徴とした記録装置である。  
このように、画像展開領域を相似形に縮小して変更することによって、デジタル画像の縦横比をほとんど変更せずに縁なし記録のはみ出し量を任意に調整することができる。
【００１７】
本発明の第４の態様は、前述した第１の態様〜前述した第３の態様のいずれかにおいて、記録実行中における実際の被記録材領域を検出する被記録材検出手段を有し、前記記録制御装置は、前記被記録材検出手段により検出した被記録材領域と前記レイアウト情報に基づく被記録材領域との差に基づいて前記はみ出し量を算出して設定する、ことを特徴とした記録装置である。
【００１８】
前述したように、縁なし記録（印刷）においては、被記録材のサイズと全く同じサイズの画像展開領域にデジタル画像データを展開して記録を実行すると、被記録材の搬送誤差や傾き等によって記録面の一部に余白が生じてしまう。そのため、被記録材のサイズより僅かに大きい画像展開領域にデジタル画像データを展開して記録を実行する。すなわち、被記録材の搬送誤差や傾き等によって、記録実行中における実際の被記録材領域とレイアウト情報に基づく被記録材領域とにずれが生じるので、レイアウト情報に基づく被記録材領域より広い画像展開領域を設定して記録を実行することで、縁なし記録実行時に余白が生じないようにしている。
【００１９】
そこで、被記録材検出手段を設けて記録実行中における実際の被記録材領域を検出し、レイアウト情報に基づく被記録材領域と記録実行中における実際の被記録材領域との差に基づいて、可変はみ出し領域を設定する際のはみ出し量を算出して設定する。そして、レイアウト情報に基づく被記録材領域と記録実行中における実際の被記録材領域との差が大きければ、すなわち被記録材の搬送誤差や傾き等が大きければ、はみ出し量を大きく設定し、その差が小さければ、すなわち被記録材の搬送誤差や傾き等が小さければ、はみ出し量を小さく設定する。それによって、記録装置の個体ごとのばらつきや被記録材の特性の違い等に起因するばらつき等に柔軟に対応して、縁なし記録実行時におけるはみ出し量を、余白が生じない範囲で最小限となるように自動調整することができるという作用効果が得られる。
【００２０】
本発明の第５の態様は、前述した第４の態様において、前記記録制御装置は、被記録材への縁なし記録を実行する度に被記録材への縁なし記録完了後、前記はみ出し量を算出して設定を更新する、ことを特徴とした記録装置である。  
このように、可変はみ出し領域を設定する際のはみ出し量を、被記録材への縁なし記録を実行する度に算出して設定を更新することによって、経年変化に伴う被記録材の搬送精度の低下等にも柔軟に追従して、縁なし記録実行時におけるはみ出し量を余白が生じない範囲で最小限となるように自動調整することができる。
【００２１】
本発明の第６の態様は、前述した第５の態様において、前記記録制御装置は、被記録材の規格サイズ及び種別ごとに前記はみ出し量を算出して設定する、ことを特徴とした記録装置である。  
このように、可変はみ出し領域を設定する際のはみ出し量を、被記録材の規格サイズ及び種別ごとに算出して設定することによって、被記録材の規格サイズ及び種別ごとに最適なはみ出し量で縁なし記録を実行することができる。
【００２２】
本発明の第７の態様は、被記録材の記録面に余白無く記録を実行する縁なし記録制御方法であって、レイアウト情報に基づく被記録材領域及び画像展開領域を設定する工程と、任意に設定可能なはみ出し量で前記レイアウト情報に基づく被記録材領域を外側に広げた可変はみ出し領域を設定する工程と、前記画像展開領域が前記可変はみ出し領域の外側の領域を含んでいる場合には、前記可変はみ出し領域に包含されるように前記画像展開領域を変更する工程と、前記可変はみ出し領域に包含される前記画像展開領域にデジタル画像データを展開して前記画像展開領域の記録を実行する工程とを有する、ことを特徴とした縁なし記録制御方法である。
【００２３】
本発明の第７の態様に記載の縁なし記録制御方法によれば、前述した第１の態様に記載の発明と同様の作用効果を得ることができる。
【００２４】
本発明の第８の態様は、被記録材の記録面に余白無く記録を実行する縁なし記録制御をコンピュータに実行させるための縁なし記録制御プログラムであって、レイアウト情報に基づく被記録材領域及び画像展開領域を設定する手順と、任意に設定可能なはみ出し量で前記レイアウト情報に基づく被記録材領域を外側に広げた可変はみ出し領域を設定する手順と、前記画像展開領域が前記可変はみ出し領域の外側の領域を含んでいる場合には、前記可変はみ出し領域に包含されるように前記画像展開領域を変更する手順と、前記可変はみ出し領域に包含される前記画像展開領域にデジタル画像データを展開して前記画像展開領域の記録を実行する手順とを有する、ことを特徴とした縁なし記録制御プログラムである。
【００２５】
本発明の第８の態様に記載の縁なし記録制御プログラムによれば、この縁なし記録制御プログラムを実行可能な任意の記録装置に、前述した第１の態様に記載の発明と同様の作用効果をもたらすことができる。
【発明を実施するための最良の形態】
【００２６】
以下、本発明の実施の形態を図面に基づいて説明する。  
まず、本発明に係る「記録装置」の一例としてのインクジェット式記録装置の概略構成について説明する。
【００２７】
図１は、本発明に係るインクジェット式記録装置の要部平面図であり、図２はその側面図である。図３は、本発明に係るインクジェット式記録装置と「情報処理装置」とで構成される記録システムの概略のブロック図である。
【００２８】
インクジェット式記録装置５０には、「被記録材」としての記録紙Ｐにインクを噴射して記録を行う記録ヘッド６２を記録紙Ｐに対して主走査方向Ｘに走査させる「主走査駆動手段」として、主走査方向Ｘに移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していないベルト伝達機構によって伝達されて主走査方向Ｘに往復動する。記録ヘッド６２のヘッド面と対向する位置には、記録ヘッド６２のヘッド面と記録紙Ｐとのギャップを規定するプラテン５２が設けられている。
【００２９】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００３０】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、その外周面の摩擦抵抗によって搬送駆動ローラ５３の外周面に密着し、搬送駆動ローラ５３の回転によって副走査方向に搬送される。インクジェット記録装置５０の「記録実行手段」は、上述した「主走査駆動手段」と「副走査駆動手段」とで構成され、キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００３１】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「記録実行手段」へ自動給送する「自動給送手段」としてのＡＳＦ（オート・シート・フィーダー）が設けられている。ＡＳＦは、給紙トレイ５７に設けられた給紙ローラ５７ｂ及び図示してない分離パッドを有する自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐを給紙する際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００３２】
一方、記録実行後の記録紙Ｐを排紙する手段として、「排出駆動ローラ」としての排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。
【００３３】
そして、給紙ローラ５７ｂや搬送駆動ローラ５３、及び排紙駆動ローラ５５を回転駆動するＰＦモータ５８（図３）、並びにキャリッジ６１を主走査方向に駆動するＣＲモータ６３（図３）は、後述する記録制御部１００により駆動制御される。また、記録ヘッド６２も同様に、記録制御部１００により駆動制御されて記録紙Ｐの表面にインクを噴射する。インクジェット式記録装置５０は、記録制御部１００によって、キャリッジ６１を主走査方向Ｘへ往復動させながら記録ヘッド６２から記録紙Ｐへインクを噴射する動作と、記録紙Ｐを副走査方向Ｙへ所定の搬送量で搬送する動作とを交互に繰り返しながら記録紙Ｐへの記録が実行される。
【００３４】
引き続き図１〜図３を参照しながらインクジェット式記録装置５０と「情報処理装置」とで構成される記録システム１０、並びに「記録制御装置」としての記録制御部１００について説明する。
【００３５】
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５、「記録実行手段」による記録紙Ｐへの記録開始操作をするための記録操作スイッチ３６、及び「設定入力手段」としての操作パネル３９の出力信号が入力される。
【００３６】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。
【００３７】
公知のリニアエンコーダ３２は、キャリッジ６１の近傍に主走査方向Ｘと略平行に配置されたリニアスケール３２１と、キャリッジ６１に搭載されたリニアスケール３２１に等間隔に形成されているスリットを検出するリニアスケールセンサ３２２とを有している（図２）。キャリッジ６１の主走査方向Ｘの移動量に応じたパルスの周期が移動速度に伴い変化するリニアスケールセンサ３２２の出力信号は、ＡＳＩＣ１０３を介してＭＰＵ１０４へ出力される。
【００３８】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び終端位置を検出し、その検出信号は、ＡＳＩＣ１０３を介してＭＰＵ１０４へ出力される。ＰＷセンサ３４は、非接触の光学式センサで構成されており、記録紙Ｐの主走査方向Ｘの端部位置（記録紙Ｐの側端位置）を検出し、その検出信号は、ＡＳＩＣ１０３を介してＭＰＵ１０４へ出力される。紙検出器３３及びＰＷセンサ３４の出力信号に基づいて記録紙Ｐの搬送位置や記録紙Ｐのサイズ等がＭＰＵ１０４において演算される。
【００３９】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行する為の演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。
【００４０】
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００４１】
ＡＳＩＣ１０３は、「情報処理装置」としてのパーソナルコンピュータ３０１、デジタルカメラ３０２或いは携帯電話端末３０３等との情報伝送を実現する「情報伝送手段」としてカードＩＦ１１１、ホストＩＦ１１２及びデバイスＩＦ１１３を有している。
【００４２】
カードＩＦ１１１は、「デジタル画像データ読込手段」としてのカードスロット２００に挿入される不揮発性メモリカードやＰＣカード等のカードインタフェースを実現する。カードスロット２００にメモリカードが挿入された場合には、メモリカードのデータの読み書きを可能にし、カードスロット２００に赤外線通信インタフェースカードが挿入された場合には、携帯電話端末３０３等の赤外線通信機能を有する電子機器との赤外線通信インタフェースを実現する。
【００４３】
ホストＩＦ１１２は、ホスト装置接続用のＵＳＢコネクタ３７に接続されるパーソナルコンピュータ（ＰＣ）３０１等のホスト装置とのＵＳＢインタフェースを実現する。ＵＳＢコネクタ３７は、インクジェット式記録装置５０の背面側に配設されている（図２）。  
デバイスＩＦ１１３は、デバイス接続用のＵＳＢコネクタ３８に接続されるデジタルカメラ（ＤＳＣ）３０２等のＵＳＢデバイスとのＵＳＢインタフェースを実現する。ＵＳＢコネクタ３８は、デジタルカメラ３０２等のＵＳＢデバイスの着脱が容易に行えるようにインクジェット式記録装置５０の前面側に配設されている（図２）。
【００４４】
つづいて、本発明に係る縁なし記録制御の第１実施例について説明する。  
図４は、本発明に係る「記録制御装置」としての記録制御部１００における縁なし記録制御の機能ブロック図の第１実施例である。  
図５は、レイアウト情報に基づく記録紙領域を模式的に示した平面図である。  
図６は、可変はみ出し領域を模式的に示した平面図である。  
図７は、レイアウト情報に基づく画像展開領域を模式的に示した平面図である。
【００４５】
展開領域算出部１１（図４）に入力されるレイアウト情報は、「レイアウト情報に基づく被記録材領域」としての記録紙領域ＰＦ（図５）の大きさと位置、及び記録紙Ｐへの記録実行時の画像展開領域ＩＭＦ（図７）の大きさと位置を固定的に規定する情報を含んでいる。記録紙領域ＰＦの大きさと位置は、記録紙Ｐの規定サイズと固定はみ出し量とで指定され、画像展開領域ＩＭＦの大きさと位置は、平面座標上の領域開始座標と領域終了座標で指定される。画像展開領域ＩＭＦは、記録対象のデジタル画像データが展開されて記録が実行される領域である。縁あり記録の場合、画像展開領域ＩＭＦは、記録紙領域ＰＦより小さい領域で記録紙領域ＰＦの内側に設定される。それによって、記録紙Ｐの記録面には、デジタル画像の外側に所定幅の余白が形成される。一方、縁なし記録の場合、画像展開領域ＩＭＦは、記録紙領域ＰＦより大きい領域で記録紙領域ＰＦの外側にはみ出すように設定される。それによって、記録紙Ｐの記録面には、デジタル画像が余白無く形成される。すなわち、縁なし記録を実行する際の記録紙領域ＰＦの外側への画像展開領域ＩＭＦのはみ出し量は、上記のレイアウト情報により固定的に規定されている。
【００４６】
尚、ここでのレイアウト情報は、記録制御部１００の不揮発性メモリ１０５等に記憶されてインクジェット式記録装置５０内に保持されているレイアウト情報、デジタル画像データとともにデジタルカメラ３０２やパーソナルコンピュータ３０１等から送信されるレイアウト情報の双方を含む。
【００４７】
展開領域Ｆは、始点（０，０）と終点（ＸＥ，ＹＥ）で指定された平面座標の領域であり、この展開領域に記録紙領域ＰＦ（図５）、画像展開領域ＩＭＦ（図７）及び可変はみ出し領域ＮＦ（図６）が設定される。展開領域算出部１１は、レイアウト情報で指定されている記録紙Ｐの規定サイズと固定はみ出し量から領域開始座標（Ｘｐ１，Ｙｐ１）及び領域終了座標（Ｘｐ２，Ｙｐ２）を算出（後述）して記録紙領域ＰＦを展開領域Ｆ上に設定する（図５）。上端固定はみ出し量Ｔ１、下端固定はみ出し量Ｂ１、左端固定はみ出し量Ｌ１及び右端固定はみ出し量Ｒ１は、レイアウト情報で固定的に規定される固定はみ出し量である。
【００４８】
展開領域算出部１１は、記録紙領域ＰＦを設定した後、レイアウト情報に基づく記録紙領域Ｐを任意に設定可能なはみ出し量で外側に広げた可変はみ出し領域ＮＦを算出（後述）して設定する。任意に設定可能なはみ出し量は、レイアウト情報とは別個に展開領域算出部１１に入力される。可変はみ出し領域ＮＦは、領域開始座標（Ｘ１，Ｙ１）及び領域終了座標（Ｘ２，Ｙ２）で設定される領域である。上端可変はみ出し量Ｔ２、下端可変はみ出し量Ｂ２、左端可変はみ出し量Ｌ２及び右端可変はみ出し量Ｒ２は、任意に設定可能なはみ出し量であり、それぞれ個別に任意のはみ出し量を設定することができる。
【００４９】
また、展開領域算出部１１は、レイアウト情報で領域開始座標（Ｘｄ１，Ｙｄ１）及び領域終了座標（Ｘｄ２，Ｙｄ２）が指定されている画像展開領域ＩＭＦを展開領域Ｆ上に設定する（図５）。尚、当該実施例においては、画像展開領域ＩＭＦは、記録紙領域ＰＦと同時に設定される。
【００５０】
つづいて、展開領域算出部１１は、画像展開領域ＩＭＦが可変はみ出し領域ＮＦの外側の領域を含んでいる場合には、可変はみ出し領域ＮＦに包含されるように画像展開領域ＩＭＦを変更する（図７）。すなわち、レイアウト情報に基づく画像展開領域ＩＭＦの記録紙領域ＰＦに対するはみ出し量が、可変はみ出し領域ＮＦのはみ出し量以下となるように画像展開領域ＩＭＦを調整（後述）する。当該実施例においては、画像展開領域ＩＭＦは、はみ出し領域ＮＦと同じ領域まで縮小され、領域開始座標（Ｘ１，Ｙ１）及び領域終了座標（Ｘ２，Ｙ２）で設定される領域に変更される。そして、変更された画像展開領域ＩＭＦの座標情報は、展開領域算出部１１からレイアウト部１５（図４）へ出力され、変更された画像展開領域ＩＭＦの座標情報に基づく画像展開領域サイズが展開領域算出部１１からリサイズ部１４（図４）へ出力される。
【００５１】
縁なし記録の実行対象となるデジタル画像ファイルは、デジタル画像ファイル入力部１２（図４）を介してデコード部１３（図４）へ出力され、デコード部１３にてデコード（圧縮ファイルの解凍）される。デコード部１３は、解凍後のデジタル画像データをリサイズ１４へ出力する。リサイズ部１４は、展開領域算出部１１から取得した画像展開領域サイズに合わせてデジタル画像データのリサイズ（拡大又は縮小）を実行し、リサイズ後のデジタル画像データをレイアウト部１５へ出力する。レイアウト部１５は、展開領域算出部１１から取得した変更後の画像展開領域ＩＭＦの座標情報に基づいて、画像展開領域ＩＭＦにリサイズ部１４から出力されたリサイズ後のデジタル画像データを展開して最終出力画像データを生成し、記録処理部１６（図４）へ出力する。記録処理部１６は、最終出力画像データに基づいて記録紙Ｐへの記録を実行する。それによって、記録紙Ｐの外側に任意のはみ出し量（上端可変はみ出し量Ｔ２、下端可変はみ出し量Ｂ２、左端可変はみ出し量Ｌ２及び右端可変はみ出し量Ｒ２）以下のはみ出し量で縁なし記録が実行される。
【００５２】
尚、図４に示した機能ブロック図における各機能ブロックは、展開領域算出部１１以外は、従来のインクジェット式記録装置５０と同じである。すなわち、展開処理算出部１１を一連の記録実行処理ブロックに追加するだけで、任意のはみ出し量に対応したインクジェット式記録装置５０を実現することができる。
【００５３】
以下、記録紙領域ＰＦ（図５）、画像展開領域ＩＭＦ（図７）及び可変はみ出し領域ＮＦ（図６）が設定し、可変はみ出し領域ＮＦに包含されるように画像展開領域ＩＭＦを調整する手順について説明する。
【００５４】
図８は、記録紙領域ＰＦ及び可変はみ出し領域ＮＦの領域開始座標と領域終了座標の算出手順を示したフローチャートである。  
まず、レイアウト情報から記録を実行する定形サイズ（Ａ４、Ｂ５等）の記録紙Ｐの規定値（規定幅ＰＷと規定長さＰＬ）を取得する（ステップＳ１）。ここでの規定幅ＰＷとは、記録紙Ｐの横方向長さの規定値であり、主走査方向Ｘの長さの規定値である。また、規定長さＰＬとは、記録紙Ｐの縦方向長さの規定値であり、副走査方向Ｙの長さの規定値である。つづいて、レイアウト情報から固定はみ出し量（上端固定はみ出し量Ｔ１、左端固定はみ出し量Ｌ１）を取得する（ステップＳ２）。
【００５５】
つづいて、レイアウト情報から取得した規定幅ＰＷ、規定長さＰＬ、上端固定はみ出し量Ｔ１及び左端固定はみ出し量Ｌ１から記録紙領域ＰＦ（図５）の領域開始座標（Ｘｐ１，Ｙｐ１）及び領域終了座標（Ｘｐ２，Ｙｐ２）を算出する（ステップＳ３）。具体的には、図５からも明らかなように、記録紙領域ＰＦの領域開始座標（Ｘｐ１，Ｙｐ１）及び領域終了座標（Ｘｐ２，Ｙｐ２）は、以下の式（１）〜式（４）により算出される。  
Ｘｐ１＝Ｌ１  …（１）
Ｙｐ１＝Ｔ１  …（２）
Ｘｐ２＝Ｘｐ１＋ＰＷ  …（３）
Ｙｐ２＝Ｙｐ１＋ＰＬ  …（４）
【００５６】
つづいて、記録紙領域ＰＦの領域開始座標（Ｘｐ１，Ｙｐ１）及び領域終了座標（Ｘｐ２，Ｙｐ２）から可変はみ出し領域ＮＦ（図６）の領域開始座標（Ｘ１，Ｙ１）及び領域終了座標（Ｘ２，Ｙ２）を算出する（ステップＳ４）。具体的には、図６からも明らかなように、可変はみ出し領域ＮＦの領域開始座標（Ｘ１，Ｙ１）及び領域終了座標（Ｘ２，Ｙ２）は、以下の式（５）〜式（８）により算出される。  
Ｘ１＝Ｘｐ１−Ｌ２  …（５）
Ｙ１＝Ｙｐ１−Ｔ２  …（６）
Ｘ２＝Ｘｐ２＋Ｒ２  …（７）
Ｙ２＝Ｙｐ２＋Ｂ２  …（８）
つづいて、画像展開領域ＩＭＦ（図７）の領域開始座標（Ｘｄ１，Ｙｄ１）及び領域終了座標（Ｘｄ２，Ｙｄ２）を調整する（ステップＳ５）。
【００５７】
図９は、画像展開領域ＩＭＦの調整手順を示したフローチャートである。  
まず、レイアウト情報で指定されている画像展開領域ＩＭＦ（図７）の領域開始座標（Ｘｄ１，Ｙｄ１）及び領域終了座標（Ｘｄ２，Ｙｄ２）を取得する（ステップＳ１１）。また、算出した（図８のステップＳ４）可変はみ出し領域ＮＦ（図６）の領域開始座標（Ｘ１，Ｙ１）及び領域終了座標（Ｘ２，Ｙ２）を取得する（ステップＳ１２）。
【００５８】
つづいて、以下の手順により、可変はみ出し領域ＮＦに包含されるように画像展開領域ＩＭＦを調整する（図７）。  
まず、画像展開領域ＩＭＦの領域開始座標値Ｘｄ１が可変はみ出し領域ＮＦの領域開始座標値Ｘ１より小さいか否か（外側か否か）を判定する（ステップＳ１３）。画像展開領域ＩＭＦの領域開始座標値Ｘｄ１が可変はみ出し領域ＮＦの領域開始座標値Ｘ１より小さい（外側にある）場合には（ステップＳ１３でＹｅｓ）、画像展開領域ＩＭＦの領域開始座標値Ｘｄ１をＸ１の座標値に変更する（ステップＳ１４）。一方、画像展開領域ＩＭＦの領域開始座標値Ｘｄ１が可変はみ出し領域ＮＦの領域開始座標値Ｘ１以上である（内側にある）場合には（ステップＳ１３でＮｏ）、画像展開領域ＩＭＦの領域開始座標値Ｘｄ１は変更しない。
【００５９】
次に、画像展開領域ＩＭＦの領域開始座標値Ｙｄ１が可変はみ出し領域ＮＦの領域開始座標値Ｙ１より小さいか否か（外側か否か）を判定する（ステップＳ１５）。画像展開領域ＩＭＦの領域開始座標値Ｙｄ１が可変はみ出し領域ＮＦの領域開始座標値Ｙ１より小さい（外側にある）場合には（ステップＳ１５でＹｅｓ）、画像展開領域ＩＭＦの領域開始座標値Ｙｄ１をＹ１の座標値に変更する（ステップＳ１６）。一方、画像展開領域ＩＭＦの領域開始座標値Ｙｄ１が可変はみ出し領域ＮＦの領域開始座標値Ｙ１以上である（内側にある）場合には（ステップＳ１３でＮｏ）、画像展開領域ＩＭＦの領域開始座標値Ｙｄ１は変更しない。
【００６０】
つづいて、画像展開領域ＩＭＦの領域終了座標値Ｘｄ２が可変はみ出し領域ＮＦの領域終了座標値Ｘ２より大きいか否か（外側か否か）を判定する（ステップＳ１７）。画像展開領域ＩＭＦの領域終了座標値Ｘｄ２が可変はみ出し領域ＮＦの領域終了座標値Ｘ２より大きい（外側にある）場合には（ステップＳ１７でＹｅｓ）、画像展開領域ＩＭＦの領域終了座標値Ｘｄ２をＸ２の座標値に変更する（ステップＳ１８）。一方、画像展開領域ＩＭＦの領域終了座標値Ｘｄ２が可変はみ出し領域ＮＦの領域終了座標値Ｘ２以下である（内側にある）場合には（ステップＳ１７でＮｏ）、画像展開領域ＩＭＦの領域終了座標値Ｘｄ２は変更しない。
【００６１】
そして、画像展開領域ＩＭＦの領域終了座標値Ｙｄ２が可変はみ出し領域ＮＦの領域終了座標値Ｙ２より大きいか否か（外側か否か）を判定する（ステップＳ１９）。画像展開領域ＩＭＦの領域終了座標値Ｙｄ２が可変はみ出し領域ＮＦの領域終了座標値Ｙ２より大きい（外側にある）場合には（ステップＳ１９でＹｅｓ）、画像展開領域ＩＭＦの領域終了座標値Ｙｄ２をＹ２の座標値に変更する（ステップＳ２０）。一方、画像展開領域ＩＭＦの領域終了座標値Ｙｄ２が可変はみ出し領域ＮＦの領域終了座標値Ｙ２以下である（内側にある）場合には（ステップＳ１７でＮｏ）、画像展開領域ＩＭＦの領域終了座標値Ｙｄ２は変更しない。
【００６２】
上記の画像展開領域の調整手順によって、レイアウト情報により指定された画像展開領域ＩＭＦが任意のはみ出し量で設定されたはみ出し領域ＮＦの外側の領域を含んでいる場合には、任意のはみ出し量で設定されたはみ出し領域ＮＦに包含されるように画像展開領域ＩＭＦが縮小される。すなわち、レイアウト情報に基づく画像展開領域ＩＭＦの範囲内で、被記録材領域ＰＦに対する画像展開領域ＩＭＦのはみ出し量を任意に設定することができるので、縁なし記録実行時のはみ出し量を任意に調整することができる。
【００６３】
このようにして、本発明に係るインクジェット式記録装置５０は、縁なし記録実行時のはみ出し量を任意に調整することができ、任意のはみ出し量で縁なし記録を実行することができる。当該実施例において、任意に設定されたはみ出し量は、操作パネル３９（図３）にてユーザが任意に変更することができるようになっている。それによって、例えば、被写体の一部が途切れた状態とならないように、縁なし記録のはみ出し量をデジタル画像ごとにデジタル画像の内容に応じてユーザが任意に調整して縁なし記録を実行することができる。
【００６４】
つづいて、本発明に係る縁なし記録制御の第２実施例について説明する。  
当該実施例においては、上述した第１実施例に加えて、記録制御部１００は、「被記録材検出手段」としての紙検出器３３及びＰＷセンサ３４（図３）により検出した記録紙Ｐの領域とレイアウト情報に基づく記録紙領域ＰＦとの差に基づいて、縁なし記録実行時のはみ出し量を算出して自動設定する。
【００６５】
図１０は、本発明に係る「記録制御装置」としての記録制御部１００における縁なし記録制御の機能ブロック図の第２実施例である。  
被記録材検出部１７は、紙検出器３３及びＰＷセンサ３４（図３）が出力する記録紙Ｐの端部の検出信号に基づいて、記録実行中の記録紙Ｐの紙幅ＰＷ１（主走査方向Ｘの記録紙Ｐの最大検出幅）と紙長さＰＬ１（副走査方向Ｙの記録紙Ｐの検出長さ）を算出してはみ出し量演算部１８へ出力する。はみ出し量演算部１８は、記録紙Ｐへの縁なし記録を実行する度に記録紙Ｐの紙幅ＰＷ１と紙長さＰＬ１に基づいて、上端可変はみ出し量Ｔ２、下端可変はみ出し量Ｂ２、左端可変はみ出し量Ｌ２及び右端可変はみ出し量Ｒ２を算出し（後述）、はみ出し量記憶部１９へ出力する。はみ出し量記憶部１９は、最新の上端可変はみ出し量Ｔ２、下端可変はみ出し量Ｂ２、左端可変はみ出し量Ｌ２及び右端可変はみ出し量Ｒ２の設定を記録紙Ｐのサイズ及び種別ごとに記憶保持し、縁なし記録実行時に記録紙Ｐのサイズ及び種別に応じた上記はみ出し量を展開領域算出部１１へ出力する。以降は、第１実施例における機能ブロック図（図４）と同様なので説明は省略する。
【００６６】
図１１は、はみ出し量演算部１８におけるはみ出し量の算出手順を示したフローチャートである。  
まず、ＰＷセンサ３４（図３）による記録紙Ｐの最大検出幅ＰＷ１及び紙検出器３３（図３）による記録紙Ｐの検出長さＰＬ１を取得する（ステップＳ２１）。また、レイアウト情報から記録を実行する記録紙Ｐの規定値（規定幅ＰＷと規定長さＰＬ）を取得する（ステップＳ２２）。
【００６７】
つづいて、以下の手順により、はみ出し量（上端可変はみ出し量Ｔ２、下端可変はみ出し量Ｂ２、左端可変はみ出し量Ｌ２及び右端可変はみ出し量Ｒ２）を算出する。  
まず、最大検出幅ＰＷ１が規定幅ＰＷより小さいか否かを判定する（ステップＳ２３）。最大検出幅ＰＷ１が規定幅ＰＷより小さい場合には（ステップＳ２３でＹｅｓ）、規定幅ＰＷを最大検出幅ＰＷ１に変更する（ステップＳ２４）。一方、最大検出幅ＰＷ１が規定幅ＰＷ以上である場合には（ステップＳ２３でＮｏ）、規定幅ＰＷは変更しない。  
次に、検出長さＰＬ１が規定長さＰＬより小さいか否かを判定する（ステップＳ２５）。検出長さＰＬ１が規定長さＰＬより小さい場合には（ステップＳ２５でＹｅｓ）、規定長さＰＬを検出長さＰＬ１に変更する（ステップＳ２６）。一方、検出長さＰＬ１が規定長さＰＬ以上である場合には（ステップＳ２５でＮｏ）、規定長さＰＬは変更しない。
【００６８】
そして、上端可変はみ出し量Ｔ２、下端可変はみ出し量Ｂ２、左端可変はみ出し量Ｌ２及び右端可変はみ出し量Ｒ２は、以下の式（９）〜式（１２）により算出される（ステップＳ２７）。  
Ｔ２＝（ＰＬ１−ＰＬ）÷２＋上補正量αＴ  …（９）
Ｂ２＝（ＰＬ１−ＰＬ）÷２＋下補正量αＢ  …（１０）
Ｌ２＝（ＰＷ１−ＰＷ）÷２＋左補正量αＬ  …（１１）
Ｒ２＝（ＰＷ１−ＰＷ）÷２＋右補正量αＲ  …（１２）
各補正量（αＴ、αＢ、αＬ、αＲ）は、記録紙Ｐの搬送精度のばらつき許容レベル等により決定される補正値であり、各はみ出し量（Ｔ２、Ｂ２、Ｌ２、Ｒ２）の最小値として位置づけられ、記録制御部１００の不揮発性メモリ１０５（図３）等に記憶される固定値である。例えば、縁なし記録において、上端側（副走査方向Ｙの記録開始側）の搬送誤差より下端側（副走査方向Ｙの記録終了側）の搬送誤差の方が大きくなるのであれば、下補正量αＢを上補正量αＴより大きな値に設定するとはみ出し量がより少ない好適な縁なし記録結果が得られる。
【００６９】
このように、紙検出器３３及びＰＷセンサ３４（図３）にて記録実行中における記録紙Ｐの領域（実際の被記録材の領域）を検出し、レイアウト情報に基づく記録紙領域ＰＦ（被記録材領域）と記録実行中における記録紙Ｐの領域（実際の被記録材の領域）との差に基づいて、可変はみ出し領域ＮＦを設定する際（図６）のはみ出し量を算出して設定する。差が大きければ、すなわち記録紙Ｐの搬送誤差や傾き等が大きければ、各はみ出し量を大きく設定し、差が小さければ、すなわち記録紙Ｐの搬送誤差や傾き等が小さければ、各はみ出し量を小さく設定する。それによって、インクジェット式記録装置５０の個体ごとのばらつきや記録紙Ｐの特性の違い等に起因するばらつき等に柔軟に対応して、縁なし記録実行時におけるはみ出し量を、余白が生じない範囲で最小限となるように自動調整することができる。
【００７０】
また、可変はみ出し領域ＮＦを設定する際のはみ出し量（上端可変はみ出し量Ｔ２、下端可変はみ出し量Ｂ２、左端可変はみ出し量Ｌ２及び右端可変はみ出し量Ｒ２）を、記録紙Ｐへの縁なし記録を実行する度に算出して設定を更新し、常に最新のはみ出し量の設定値で縁なし記録を実行する。それによって、経年変化に伴う記録紙Ｐの搬送精度の低下等にも柔軟に追従して、縁なし記録実行時におけるはみ出し量を、余白が生じない範囲で最小限となるように自動調整することができ、記録紙Ｐの外側に捨てられてしまう画像領域を常に最小限に止めることができる。  
さらに、可変はみ出し領域ＮＦを設定する際のはみ出し量を、記録紙Ｐの規格サイズ及び種別ごとに算出して設定することによって、記録紙Ｐの規格サイズ及び種別ごとに最適なはみ出し量で縁なし記録を実行することができる。
【００７１】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００７２】
【図１】本発明に係るインクジェット式記録装置の概略の平面図である。
【図２】本発明に係るインクジェット式記録装置の概略の側面図である。
【図３】本発明に係る記録システムの概略のブロック図である。
【図４】縁なし記録制御の機能ブロック図の第１実施例である。
【図５】レイアウト情報に基づく記録紙領域を模式的に示した平面図である。
【図６】可変はみ出し領域を模式的に示した平面図である。
【図７】レイアウト情報に基づく画像展開領域を模式的に示した平面図である。
【図８】記録紙領域及び可変はみ出し領域の算出手順のフローチャートである。
【図９】画像展開領域の調整手順を示したフローチャートである。
【図１０】縁なし記録制御の機能ブロック図の第２実施例である。
【図１１】はみ出し量の算出手順を示したフローチャートである。
【符号の説明】
【００７３】
５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、５９  キャッピング装置、６１  キャリッジ、６２  記録ヘッド、６３  ＣＲモータ、１００  記録制御部、１０１  ＲＯＭ、１０２  ＲＡＭ、１０３  ＡＳＩＣ、１０４  ＭＰＵ、１０５  不揮発性メモリ、１０６  ＰＦモータドライバ、１０７  ＣＲモータドライバ、１０８  ヘッドドライバ、２００  カードスロット、３０１  パーソナルコンピュータ、３０２  デジタルカメラ、３０３  携帯電話端末、Ｐ  記録紙、Ｘ  主走査方向、Ｙ  副走査方向
【図１】
2006231839.tif 000003
【図２】
2006231839.tif 000004
【図３】
2006231839.tif 000005
【図４】
2006231839.tif 000006
【図５】
2006231839.tif 000007
【図６】
2006231839.tif 000008
【図７】
2006231839.tif 000009
【図８】
2006231839.tif 000010
【図９】
2006231839.tif 000011
【図１０】
2006231839.tif 000012
【図１１】
2006231839.tif 000013